(57)【特許請求の範囲】
【請求項１】
観賞用の画像の周囲に額縁画像を配置した状態で表示する画像表示装置において、
本画像表示装置の周囲を撮影した撮影画像を取得する撮影手段と、
前記撮影手段が取得した撮影画像の被写体に関する内容に従って、現在の使用環境が予め決められている複数の使用環境のいずれに該当するかを判断する環境判断手段と、
前記予め決められている複数の使用環境と前記額縁画像の種類との対応関係を示す対応情報を記憶する対応情報記憶手段と、
前記対応情報記憶手段が記憶する対応情報を参照し、前記環境判断手段が該当すると判断した使用環境に対応する種類の額縁画像を使用対象として設定する額縁設定手段と、
前記観賞用の画像と共に、前記額縁設定手段が使用対象として設定した種類の額縁画像を前記観賞用の画像の周囲に配置した状態で画面上に表示する表示制御手段と
を備え、
前記環境判断手段は、
前記撮影手段が取得した撮影画像から、予め決められている異なる複数の特定の被写体を認識する被写体認識手段を含み、
前記予め決められている複数の使用環境のうちで、前記被写体認識手段が認識した特定の被写体の存在が規定する使用環境を現在の使用環境であると判断する
ことを特徴とする画像表示装置。
【請求項２】
観賞用の画像の周囲に額縁画像を配置した状態で表示する画像表示装置において、
本画像表示装置の周囲を撮影した撮影画像を取得する撮影手段と、
前記撮影手段が取得した撮影画像の被写体に関する内容に従って、現在の使用環境が予め決められている複数の使用環境のいずれに該当するかを判断する環境判断手段と、
前記予め決められている複数の使用環境と前記額縁画像の種類との対応関係を示す対応情報を記憶する対応情報記憶手段と、
前記対応情報記憶手段が記憶する対応情報を参照し、前記環境判断手段が該当すると判断した使用環境に対応する種類の額縁画像を使用対象として設定する額縁設定手段と、
前記観賞用の画像と共に、前記額縁設定手段が使用対象として設定した種類の額縁画像を前記観賞用の画像の周囲に配置した状態で画面上に表示する表示制御手段と
を備え、
前記予め決められている複数の使用環境には、本画像表示装置の設置場所である部屋の種別と鑑賞者の種別との少なくともいずれか一方の種別に対応する複数の使用環境が含まれる
ことを特徴とする画像表示装置。
【請求項３】
観賞用の画像の周囲に額縁画像を配置した状態で表示する画像表示装置が有するコンピュータを、
本画像表示装置の周囲を撮影した撮影画像の被写体に関する内容に従って、現在の使用環境が予め決められている複数の使用環境のいずれに該当するかを判断する環境判断手段と、
前記画像表示装置の周囲を撮影した撮影画像から、予め決められている異なる複数の特定の被写体を認識する被写体認識手段と、
前記予め決められている複数の使用環境と前記額縁画像の種類との対応関係を示す対応情報を参照し、前記環境判断手段が該当すると判断した使用環境に対応する種類の額縁画像を使用対象として設定する額縁設定手段と、
前記観賞用の画像と共に、前記額縁設定手段が使用対象として設定した種類の額縁画像を前記観賞用の画像の周囲に配置した状態で画面上に表示する表示制御手段と
して機能させ、
前記環境判断手段は、前記予め決められている複数の使用環境のうちで、前記被写体認識手段が認識した特定の被写体の存在が規定する使用環境を現在の使用環境であると判断する
ことを特徴とするプログラム。
【請求項４】
観賞用の画像の周囲に額縁画像を配置した状態で表示する画像表示装置が有するコンピュータを、
本画像表示装置の周囲を撮影した撮影画像の被写体に関する内容に従って、現在の使用環境が予め決められている複数の使用環境のいずれに該当するかを判断する環境判断手段と、
前記予め決められている複数の使用環境と前記額縁画像の種類との対応関係を示す対応情報を参照し、前記環境判断手段が該当すると判断した使用環境に対応する種類の額縁画像を使用対象として設定する額縁設定手段と、
前記観賞用の画像と共に、前記額縁設定手段が使用対象として設定した種類の額縁画像を前記観賞用の画像の周囲に配置した状態で画面上に表示する表示制御手段と
して機能させ、
前記予め決められている複数の使用環境には、本画像表示装置の設置場所である部屋の種別と鑑賞者の種別との少なくともいずれか一方の種別に対応する複数の使用環境が含まれる
ことを特徴とするプログラム。
【発明の詳細な説明】
【技術分野】
【０００１】
本発明は、例えば写真撮影により得られた画像の外周に、異なる種類の額縁をそれぞれ表現する額縁画像を表示させるための画像処理技術に関するものである。
【背景技術】
【０００２】
近年、例えばデジタルカメラにより撮影され画像データとして記録された画像、つまり写真を表示する装置として、種々のデジタルフォトフレーム（以下、ＤＰＦという。）が商品化されている。ところで、実際の絵画を部屋に飾る際には絵画を額縁に入れることが多い。したがって、ＤＰＦにおいて画像（写真）を表示する場合には、画像の外周に額縁を表現した額縁画像を表示させることが望ましい。
【０００３】
画像の外周に額縁画像を表示させる技術として、例えば下記特許文献１には、画像を表示する液晶パネルの保護用の保護パネルの周縁をレンズ状に形成しておき、液晶パネルに画像を表示するとき、液晶パネルの周縁部分に額縁画像を表示する技術が記載されている。また、下記特許文献１の技術では、画像と共に表示させる額縁画像の種類をユーザに予め選択させるものとなっている。
【先行技術文献】
【特許文献】
【０００４】
【特許文献１】特開平１０−２６０６５４号公報
【発明の概要】
【発明が解決しようとする課題】
【０００５】
しかしながら、特許文献１の技術では、画像を表示するとき、ユーザの好みを基準として選択された額縁画像を表示させるものに過ぎないため、ユーザが額縁画像を自ら選択するといった面倒な作業を行わなければ、額縁の種類を変えることができないという問題があった。
【０００６】
本発明の目的は、ユーザに面倒な作業を強いることなく、異なる種類の額縁を選択的に画像の外周に表示することにある。
【課題を解決するための手段】
【０００７】
本発明の第１の観点に係る画像表示装置にあっては、観賞用の画像の周囲に額縁画像を配置した状態で表示する画像表示装置において、本画像表示装置の周囲を撮影した撮影画像を取得する撮影手段と、前記撮影手段が取得した撮影画像の被写体に関する内容に従って、現在の使用環境が予め決められている複数の使用環境のいずれに該当するかを判断する環境判断手段と、前記予め決められている複数の使用環境と前記額縁画像の種類との対応関係を示す対応情報を記憶する対応情報記憶手段と、前記対応情報記憶手段が記憶する対応情報を参照し、前記環境判断手段が該当すると判断した使用環境に対応する種類の額縁画像を使用対象として設定する額縁設定手段と、前記観賞用の画像と共に、前記額縁設定手段が使用対象として設定した種類の額縁画像を前記観賞用の画像の周囲に配置した状態で画面上に表示する表示制御手段とを備え、前記環境判断手段は、前記撮影手段が取得した撮影画像から、予め決められている異なる複数の特定の被写体を認識する被写体認識手段を含み、前記予め決められている複数の使用環境のうちで、前記被写体認識手段が認識した特定の被写体の存在が規定する使用環境を現在の使用環境であると判断することを特徴とする。
また、本発明の第２の観点に係る画像表示装置にあっては、観賞用の画像の周囲に額縁画像を配置した状態で表示する画像表示装置において、本画像表示装置の周囲を撮影した撮影画像を取得する撮影手段と、前記撮影手段が取得した撮影画像の被写体に関する内容に従って、現在の使用環境が予め決められている複数の使用環境のいずれに該当するかを判断する環境判断手段と、前記予め決められている複数の使用環境と前記額縁画像の種類との対応関係を示す対応情報を記憶する対応情報記憶手段と、前記対応情報記憶手段が記憶する対応情報を参照し、前記環境判断手段が該当すると判断した使用環境に対応する種類の額縁画像を使用対象として設定する額縁設定手段と、前記観賞用の画像と共に、前記額縁設定手段が使用対象として設定した種類の額縁画像を前記観賞用の画像の周囲に配置した状態で画面上に表示する表示制御手段とを備え、前記予め決められている複数の使用環境には、本画像表示装置の設置場所である部屋の種別と鑑賞者の種別との少なくともいずれか一方の種別に対応する複数の使用環境が含まれることを特徴とする。
【０００８】
また、本発明の第３の観点に係るプログラムにあっては、観賞用の画像の周囲に額縁画像を配置した状態で表示する画像表示装置が有するコンピュータを、本画像表示装置の周囲を撮影した撮影画像の被写体に関する内容に従って、現在の使用環境が予め決められている複数の使用環境のいずれに該当するかを判断する環境判断手段と、前記画像表示装置の周囲を撮影した撮影画像から、予め決められている異なる複数の特定の被写体を認識する被写体認識手段と、前記予め決められている複数の使用環境と前記額縁画像の種類との対応関係を示す対応情報を参照し、前記環境判断手段が該当すると判断した使用環境に対応する種類の額縁画像を使用対象として設定する額縁設定手段と、前記観賞用の画像と共に、前記額縁設定手段が使用対象として設定した種類の額縁画像を前記観賞用の画像の周囲に配置した状態で画面上に表示する表示制御手段として機能させ、前記環境判断手段は、前記予め決められている複数の使用環境のうちで、前記被写体認識手段が認識した特定の被写体の存在が規定する使用環境を現在の使用環境であると判断することを特徴とする。
また、本発明の第４の観点に係るプログラムにあっては、観賞用の画像の周囲に額縁画像を配置した状態で表示する画像表示装置が有するコンピュータを、本画像表示装置の周囲を撮影した撮影画像の被写体に関する内容に従って、現在の使用環境が予め決められている複数の使用環境のいずれに該当するかを判断する環境判断手段と、前記予め決められている複数の使用環境と前記額縁画像の種類との対応関係を示す対応情報を参照し、前記環境判断手段が該当すると判断した使用環境に対応する種類の額縁画像を使用対象として設定する額縁設定手段と、前記観賞用の画像と共に、前記額縁設定手段が使用対象として設定した種類の額縁画像を前記観賞用の画像の周囲に配置した状態で画面上に表示する表示制御手段として機能させ、前記予め決められている複数の使用環境には、本画像表示装置の設置場所である部屋の種別と鑑賞者の種別との少なくともいずれか一方の種別に対応する複数の使用環境が含まれることを特徴とする。
【発明の効果】
【０００９】
本発明によれば、ユーザに面倒な作業を強いることなく、異なる種類の額縁を選択的に画像の外周に表示することができる。
【図面の簡単な説明】
【００１０】
【図１】本発明の実施形態におけるデジタルフォトフレームの正面図である。
【図２】デジタルフォトフレームのハードウェア構成の概略を示すブロック図である。
【図３】デジタルフォトフレームの機能の要部を示す機能ブロック図である。
【図４】使用環境の種類と、規定条件、及び額縁の種類との関係を示す説明図である。
【図５】特定の表示モードにおけるＣＰＵの処理手順を示すフローチャートである。
【図６】（ａ）は、キャラクター柄の額縁画像を含む額縁付き画像の例を示す図、（ｂ）は、洋風の額縁画像を含む額縁付き画像の例を示す図、（ｃ）は、和風の額縁画像を含む額縁付き画像の例を示す図である。
【発明を実施するための形態】
【００１１】
以下、本発明の実施形態について説明する。図１は、本発明を適用したデジタルフォトフレーム（以下、ＤＰＦという。）１の正面図である。ＤＰＦ１は、主としてデジタルカメラ等により撮影された画像（写真）を表示するものである。なお、以下の説明においては、ＤＰＦ１が表示する任意の画像（写真）を観賞用画像と呼ぶこととする。また、ＤＰＦ１は、観賞用画像の表示に際して、観賞用画像の外周に額縁画像を表示させる機能を備えている。
【００１２】
図１に示したように、ＤＰＦ１の本体２には、本体２の下辺部分を除く正面のほぼ全域を占めるカラー液晶表示パネル３が保持されている。本体２の下辺部分の右端には電源スイッチ４と操作スイッチ５とが設けられており、本体２の下辺部分の中央には撮影レンズ６が設けられている。
【００１３】
撮影レンズ６は、後述する内蔵カメラ４０１によってＤＰＦ１の正面側の状況を広範囲に撮影するために設けられたものであり、例えば焦点距離が２０ｍｍ程度の広角レンズである。
【００１４】
図２は、ＤＰＦ１の電気的構成を示したブロック図である。ＤＰＦ１は、ＣＰＵ（Central Processing Unit）１０１によってシステムの全体を制御される構成である。ＣＰＵ１０１には、ＲＯＭ（Read Only Memory）１０２、ＲＡＭ（Random Access memory）１０３、メディアコントローラ１０４、操作キー群２０１、ディスプレイ３０１、内蔵カメラ４０１が接続されている。
【００１５】
ＲＯＭ１０２は、ＣＰＵ１０１にシステム全体を制御させるための複数種のプログラムやデータが記憶されているメモリである。ＲＯＭ１０２に記憶されているプログラムには、ＣＰＵ１０１を環境情報取得手段、環境判断手段、額縁設定手段、表示制御手段として機能させる表示制御プログラム１０２ａが含まれる。
【００１６】
また、ＲＯＭ１０２に記憶されているデータには、観賞用画像の外周に表示する複数種の額縁画像を表す額縁画像データが記憶されている。各々の額縁画像データが表す具体的な額縁画像の種類は、キャラクター柄付きと洋風と和風との３種類である。
【００１７】
キャラクター柄付きの額縁画像は、幼児が好みそうなキャラクターによる柄が配置された額縁を表現する画像である。洋風の額縁画像は、洋室の雰囲気に合うような意匠（形状や、色、模様等）を有する額縁を表現する画像である。和風の額縁画像は、和室の雰囲気に合うような意匠（形状や、色、模様等）を有する額縁を表現する画像である。
【００１８】
ＲＡＭ１０３は、具体的にはＳＤＲＡＭ（Synchronous dynamic random-access memory）等である。
【００１９】
メディアコントローラ１０４は、ＤＰＦ１の本体２に設けられているメモリカードスロットに着脱自在に装着された記録メディア５０と、ＣＰＵ１０１との間におけるデータの入出力を制御する入出力インターフェースである。なお、メモリカードスロットは本体２の側面や背面に設けられている。
【００２０】
記録メディア５０には、デジタルカメラ等において撮影され記録された画像（写真）の画像データが複数記録されている。画像データは、例えばＪＰＥＧ（Joint Photographic Expert Group）方式により圧縮され、撮影日時等の付加情報と共に静止画ファイルとして記憶されている。
【００２１】
操作キー群２０１は、図１に示した電源スイッチ４及び操作スイッチ５から構成される。ＣＰＵ１０１は、操作キー群２０１における操作キー等の操作状態を定常的にスキャンすることにより、所定のキー操作によるユーザからの種々の指示を検知する。
【００２２】
ディスプレイ３０１は、図１に示したカラー液晶表示パネル３と、カラー液晶表示パネル３のバックライトと、ＣＰＵ１０１から供給される画像データ等の表示データに応じてカラー液晶表示パネルを駆動する駆動回路とから構成される。
【００２３】
内蔵カメラ４０１は、主として図１に示した撮影レンズ６によって結像された光像を撮像するＣＣＤ（Charge Coupled Device）やＭＯＳ（Complementary Meta1 0xide Semiconductor）型の撮像素子と、撮像素子から出力される撮像信号に基づく画像データを生成する複数段の信号処理回路等から構成されている。内蔵カメラ４０１が生成した画像データはＣＰＵ１０１へ供給される。なお、以下の説明においては、内蔵カメラ４０１がＣＰＵ１０１へ供給する画像データが表す画像を撮影画像と呼ぶこととする。
【００２４】
図３は、ＤＰＦ１が有する機能の要部を示す機能ブロック図である。ＤＰＦ１は制御部１０と、操作部２０、表示部３０、撮影部４０を有している。制御部１０は、被写体認識部１２を含む環境判断部１１と、額縁設定部１３、表示制御部１４、記憶部１５により構成されている。また、環境判断部１１は被写体認識部１２と判断部１３とから構成される。
【００２５】
操作部２０は、ＤＰＦ１に対するユーザからの各種の指示を検知する機能部分であり、図１に示した操作キー群２０１により実現される。
【００２６】
表示部３０は、記録メディア５０に記録されている画像データにより表される静止画像を観賞用画像として表示したり、ユーザがＤＰＦ１を操作する際に必要とする各種の操作画面を表示したりする。表示部３０は、図１に示したディスプレイ３０１により実現される。
【００２７】
撮影部４０は、ＤＰＦ１の正面側の状況を撮影し取得した撮影画像を、制御部１０へ供給する。撮影部４０は、図１に示した内蔵カメラ４０１により実現される。
【００２８】
被写体認識部１２は、撮影部４０が撮影し取得した撮影画像を表す撮影画像データを対象として、予め決められている特定の被写体を認識する。被写体認識部１２が認識する特定の被写体は複数種類である。被写体認識部１２は、図１に示したＣＰＵ１０１により実現される。
【００２９】
環境判断部１１は、撮影部４０にＤＰＦ１の正面側の状況を撮影させ、撮影画像を表す撮影画像データを、ＤＰＦ１の使用環境を示す環境情報として取得する。また、環境判断部１１は、被写体認識部１２における被写体の認識結果に基づいて、ＤＰＦ１の現在の使用環境を判断する。より具体的に述べると、判断部１３は、ＤＰＦ１において予め決められている複数の使用環境のうちで、被写体認識部１２が認識に成功した特定の被写体の存在が使用環境を規定する条件として含まれる特定の使用環境を、現在の使用環境が該当すると使用環境であると判断する。環境判断部１１は、図１に示したＣＰＵ１０１により実現される。
【００３０】
ここで、予め決められている複数の使用環境と、各々の使用環境を規定する条件（以下、規定条件という。）について説明する。ＤＰＦ１において予め決められている使用環境は、図４に示した使用環境Ａ〜使用環境Ｄの４種類であり、各々の使用環境の規定条件は、撮影画像の被写体に関する内容から判断可能な条件である。
【００３１】
使用環境Ａ，Ｂは鑑賞者の種別に関する使用環境であり、使用環境Ａの規定条件は「鑑賞者が幼児であること」、使用環境Ｂの規定条件は「鑑賞者が西洋人であること」である。使用環境Ｃ，Ｄは使用場所の部屋の種別に関する使用環境であり、使用環境Ｃの規定条件は「和室特有物が有ること」、使用環境Ｄの規定条件は「和室特有物が無いこと」である。和室特有物とは、一般に和室のみに存在しており、洋室には存在していない物品等であり、例えば障子や畳である。
【００３２】
額縁設定部１３は、ＲＯＭ１０２が額縁画像データとして記憶しているキャラクター柄付き、洋風、和風の３種類の額縁画像のうちで、環境判断部１１が判断した特定の使用環境と対応付けられている特定の種類の額縁画像を、使用対象として設定する。
【００３３】
予め決められている使用環境と額縁画像の種類との対応関係は、ＲＯＭ１０２に記憶されている表示制御プログラム１０２ａ内に記述されている。予め決められている使用環境と額縁画像の種類との対応関係は図４に示した通りである。すなわち使用環境Ａにはラクター柄付きの額縁画像が対応付けられており、使用環境Ｂ，Ｄには洋風の額縁画像が対応付けられており、使用環境Ｃには和風の額縁画像が対応付けられている。
【００３４】
表示制御部１４は、表示部３０に観賞用画像を表示させる。また、表示制御部１４は、観賞用画像と共に、額縁設定部１３が設定した種類の額縁画像を観賞用画像の外周に配置した状態で表示部３０に表示させる。表示制御部１４は、図１に示したＣＰＵ１０１により実現される。
【００３５】
記憶部１５は、撮影部４０により取得された撮影画像や、表示制御部１４が、観賞用画像の外周に額縁画像が配置された額縁付き画像を表示部３０に表示させる際の表示用の画像データを一時的に記憶する。記憶部１５は、図１に示したＲＡＭ１０３により実現される。
【００３６】
以上の構成からなるＤＰＦ１においては、表示モードとして、観賞用画像の表示に際して観賞用画像の周囲に額縁画像を表示させる特定の表示モードが設けられている。特定の表示モードの設定は、ユーザが操作スイッチ５を所定の手順で操作することにより行われる。
【００３７】
以下、特定の表示モードが設定されている状態で、記録メディア５０に記録されているいずれかの画像（写真）を観賞用画像として表示するときの動作について説明する。なお、表示対象の画像は、例えばユーザが所定のキー操作で選択したものである。
【００３８】
図５は、特定の表示モードで、制御部１０（ＣＰＵ１０１）が、ＲＯＭ１０２に記憶されている表示制御プログラム１０２ａに従って実行する処理の内容を示すフローチャートである。
【００３９】
特定の表示モードにおいて制御部１０は、まず観賞用画像を表す画像データを記録メディア５０から読み出し、記憶部１５（ＲＡＭ１０３）に一時記憶する（ステップＳ１）。
【００４０】
次に、環境判断部１１（ＣＰＵ１０１）が、撮影部４０（内蔵カメラ４０１）にＤＰＦ１の正面側の状況を撮影させ、撮影部４０から供給された撮影画像を表す撮影画像データを、ＤＰＦ１の使用環境を示す環境情報として取得する（ステップＳ２）。なお、環境判断部１１は、取得した撮影画像データを記憶部１５（１０３）へ記憶する。
【００４１】
引き続き、被写体認識部１２（ＣＰＵ１０１）が、記憶部１５に記憶された撮影画像データを処理対象として幼児の顔を認識する（ステップＳ３）。ステップＳ３の処理において被写体認識部１２は、撮影画像データにより表される撮影画像内において人物の顔が存在する領域である顔領域を検出した後、検出した顔領域の顔から年齢を判別し、顔領域の顔が幼児の顔であるか否かを判断する。
【００４２】
被写体認識部１２による顔領域の検出方法は、例えば検出対象の画像に二値化や輪郭抽出、パターンマッチング等の画像認識技術によって、一定範囲の位置関係にある目や鼻や口が存在する特定領域を顔領域として検出する公知の技術を適用した方法である。また、被写体認識部１２による年齢の判別方法は、特開２００７−２８０２９１号公報等に記載されている、顔の器官を構成する特徴点を用いた演算処理により人種、年齢、性別などを判別する公知の技術などを適用した方法である。
【００４３】
そして、ステップＳ３の処理において被写体認識部１２が幼児の顔の認識に成功した場合（ステップＳ４：ＹＥＳ）、環境判断部１１は、現在の使用環境が、「鑑賞者が幼児であること」を規定条件とする使用環境Ａ（図４参照）であると判断する（ステップＳ５）。また、額縁設定部１３（ＣＰＵ１０１）が、使用環境Ａに対応するキャラクター柄付きの額縁画像を表示対象として設定する（ステップＳ６）。
【００４４】
しかる後、表示制御部１４（ＣＰＵ１０１）が、鑑賞画像の外周にキャラクター柄付きの額縁画像を配置した表示用画像を表す表示用の画像データを記憶部１５に生成し、生成した画像データを表示部３０（ディスプレイ３０１）へ送り、表示部３０において額縁付き画像を表示させる（ステップＳ１７）。
【００４５】
図６（ａ）は、環境判断部１１が、現在の使用環境が「鑑賞者が幼児であること」を規定条件とする使用環境Ａであると判断した場合に、表示部３０が表示する額縁付き画像の例を便宜的に示した図である。つまり、鑑賞画像Ｇの外周にキャラクター柄付きの額縁画像Ｇａが配置されている額縁付き画像ＧＡを示した図である。
【００４６】
また、被写体認識部１２は、ステップＳ３の処理において幼児の顔を認識できなかった場合には（ステップＳ４：ＮＯ）、引き続き、記憶部１５に記憶された撮影画像データを処理対象として西洋人の顔を認識する（ステップＳ７）。ステップＳ７の処理において被写体認識部１２は、ステップＳ３の処理で既に検出していた顔領域の顔から人種を判別し、顔領域の顔が西洋人の顔であるか否かを判断する。被写体認識部１２による人種の判別方法も、特開２００７−２８０２９１号公報等に記載されている、顔の器官を構成する特徴点を用いた演算処理により人種、年齢、性別などを判別する公知の技術などを適用した方法である。
【００４７】
そして、ステップＳ７の処理において被写体認識部１２が西洋人の顔の認識に成功した場合（ステップＳ８：ＹＥＳ）、環境判断部１１は、現在の使用環境が、「観察者が西洋人であること」を規定条件とする使用環境Ｂ（図４参照）であると判断する（ステップＳ９）。また、額縁設定部１３が、使用環境Ｂに対応する洋風の額縁画像を表示対象として設定する（ステップＳ１０）。
【００４８】
しかる後、表示制御部１４が、鑑賞画像の外周に洋風の額縁画像を配置した表示用画像を表す表示用の画像データを記憶部１５に生成し、生成した画像データを表示部３０へ送り、表示部３０において額縁付き画像を表示させる（ステップＳ１７）。
【００４９】
図６（ｂ）は、環境判断部１１が、現在の使用環境が「観察者が西洋人であること」を規定条件とする使用環境Ｂであると判断した場合に、表示部３０が表示する額縁付き画像の例を便宜的に示した図である。つまり、鑑賞画像Ｇの外周に洋風の額縁画像Ｇｂが配置されている額縁付き画像ＧＢを示した図である。
【００５０】
また、ステップＳ７の処理において幼児の顔を認識できなかった場合には（ステップＳ８：ＮＯ）、引き続き、被写体認識部１２が、記憶部１５に記憶された撮影画像データを処理対象として和室特有物（障子や畳等）を認識する（ステップＳ１１）。
【００５１】
被写体認識部１２による和室特有物の認識方法は、例えば検出対象の画像に二値化や輪郭抽出、パターンマッチング等の画像認識技術による公知の技術を適用した方法である。より具体的に説明すると、被写体認識部１２は、撮影画像データに対して二値化や輪郭抽出処理を施す。次に、被写体認識部１２は、ＲＯＭ１０２に記憶されている和室特有物の基準となる模様等の特徴を表すテンプレートデータを用い、撮影画像データにおいて、テンプレートデータにより表される特徴を有する画像内の領域部分を１又は複数検出する処理を行う。そして、被写体認識部１２は、検出した１又は複数の領域部分における、テンプレートデータにより表される特徴との一致度合が一定の度合以上であれば、検出した領域部分が和室特有物であると判別する。
【００５２】
ステップＳ１１の処理において被写体認識部１２が和室特有物の認識に成功した場合には（ステップＳ１２：ＹＥＳ）、環境判断部１１は、現在の使用環境が、「和室特有物が有ること」を規定条件とする使用環境Ｃ（図４参照）であると判断する（ステップＳ１３）。また、額縁設定部１３が、使用環境Ｃに対応する和風の額縁画像を表示対象として設定する（ステップＳ１４）。
【００５３】
しかる後、表示制御部１４が、鑑賞画像の外周に和風の額縁画像を配置した表示用画像を表す表示用の画像データを記憶部１５に生成し、生成した画像データを表示部３０へ送り、表示部３０において額縁付き画像を表示させる（ステップＳ１７）。
【００５４】
図６（ｃ）は、環境判断部１１が、現在の使用環境が「和室特有物が有ること」を規定条件とする使用環境Ｃであると判断した場合に、表示部３０が表示する額縁付き画像の例を便宜的に示した図である。つまり、鑑賞画像Ｇの外周に和風の額縁画像Ｇｃが配置されている額縁付き画像ＧＣを示した図である。
【００５５】
また、ステップＳ１１の処理において被写体認識部１２が和室特有物を認識できなかった場合（ステップＳ１２：ＮＯ）、環境判断部１１は、現在の使用環境が、「和室特有物が無いこと」を規定条件とする使用環境Ｄ（図４参照）であると判断する（ステップＳ１５）。また、額縁設定部１３が、使用環境Ｄに対応する洋風の額縁画像を表示対象として設定する（ステップＳ１１６）。
【００５６】
しかる後、表示制御部１４が、鑑賞画像の外周に洋風の額縁画像を配置した表示用画像を表す表示用の画像データを記憶部１５に生成し、生成した画像データを表示部３０へ送り、表示部３０において額縁付き画像を表示させる（ステップＳ１７）。
【００５７】
なお、環境判断部１１が、現在の使用環境が「和室特有物が無いこと」を規定条件とする使用環境Ｄであると判断した場合、ステップＳ１７の処理に際して表示部３０は、図６（ｂ）に示した額縁付き画像ＧＣを表示する。
【００５８】
以上のように本実施形態のＤＰＦ１においては、鑑賞画像の表示に際し、撮影部４０が取得した撮影画像から特定の被写体を認識することによって現在の使用環境を判断し、現在の使用環境に対応づけられている種類の額縁画像を鑑賞画像の外周に自動的に表示する。つまりＤＰＦ１は、撮影画像における被写体に関する内容を基準として額縁画像を自動的に変化させる。よって、ユーザに面倒な作業を強いることなく、異なる種類の額縁を選択的に鑑賞画像の外周に表示することができる。
【００５９】
しかも、ＤＰＦ１が鑑賞画像の外周に表示する額縁画像の種類は、予め決められている使用環境（Ａ〜Ｄ）のうちで現在の使用環境が該当する使用環境に対応した種類である。よって、ＤＰＦ１においては、鑑賞画像の表示に際し、使用環境に適した種類の額縁画像を自動的に鑑賞画像の外周に表示することができる。例えば観察者が幼児である場合、ＤＰＦ１は、幼児が好みそうなキャラクターによる柄が配置されたキャラクター柄の額縁画像を、自動的に鑑賞画像と共に表示することができる。
【００６０】
また、ＤＰＦ１は、その存在が、予め決められている各々の使用環境を規定する条件に含まれる複数の特定の被写体を決められた順に認識し、いずれかの被写体の認識に成功した段階で鑑賞画像の外周に表示する額縁画像の種類を設定する。つまり、いずれかの被写体の認識に成功した段階で認識動作を終了する。よって、撮影画像に対する特定の被写体の認識動作が最小限であり、効率的に現在の使用環境を判断することができる。
【００６１】
（変形等）
本実施形態においては、予め決められている複数の使用環境が、鑑賞者の種別に関する使用環境Ａ，Ｂと、使用場所の部屋の種別に関する使用環境Ｃ，Ｄである場合について説明した。しかし、ＤＰＦ１には、複数の使用環境として、鑑賞者の種別に関するものだけが想定されていてもよいし、使用場所の部屋の種別に関するものだけが想定されていても構わない。
【００６２】
また、複数の使用環境の具体的な内容、使用環境の数についても適宜変更することができる。また、ＤＰＦ１には、複数の使用環境として、鑑賞者の種別や使用場所の部屋の種別に関するもの以外の使用環境が予め決められていても構わない。また、予め決められている複数の使用環境に対応する額縁画像の具体的な種類についても、適宜変更することができる。また、複数の使用環境を規定する条件における特定の被写体についても、適宜変更することができる。
【００６３】
また、本実施形態では、画像データとして記録されている画像を表示するＤＰＦに本発明を適用した場合について説明した。しかし、本発明は、観賞用画像の外周に額縁画像を表示させる機能を備えたものであれば、任意の装置に適用することができる。任意の装置にはデジタルカメラや、カメラ付き携帯電話端末等が含まれる。
【符号の説明】
【００６４】
１    ＤＰＦ
２    本体
３    カラー液晶表示パネル
４    電源スイッチ
５    操作スイッチ
６    撮影レンズ
１０    制御部
１１    環境判断部
１２    被写体認識部
１３    判断部
１４    額縁設定部
１５    表示制御部
１６    記憶部
２０    操作部
３０    表示部
４０    撮影部
５０    記録メディア
１０１    ＣＰＵ
１０２    ＲＯＭ
１０２ａ    表示制御プログラム
１０３    ＲＡＭ
１０４    メディアコントローラ
２０１    操作キー群
３０１    ディスプレイ
４０１    内蔵カメラ
Ａ    使用環境
Ｂ    使用環境
Ｃ    使用環境
Ｄ    使用環境
【図１】
0005477025.tif 000002
【図２】
0005477025.tif 000003
【図３】
0005477025.tif 000004
【図４】
0005477025.tif 000005
【図５】
0005477025.tif 000006
【図６】
0005477025.tif 000007